(57)【要約】      （修正有）【課題】浴槽蓋を収納することで浴室内を広く利用でき、邪魔物扱いされず美観があり、清掃も容易な浴槽蓋収納箱の提供。【解決手段】浴槽蓋１４を一側部から巻き込み、引出し可能に収納する蓋収納箱であって、前記蓋収納箱は箱本体１と開閉可能な側蓋から構成され、前記箱本体１の底部３１には浴槽蓋１４の出入口が設けられ、前記箱本体１の両側部には前記浴槽蓋１４の一側部と結合される巻取り棒１８が回転可能に差し渡され、且つ前記箱本体１の一方の前記側蓋は開閉可能で、前記箱本体１の裏側の一側面には回転軸８が設けられ、浴室の内壁２７に前記回転軸８を支点として倒立可能に取付ける装置を設けた。【選択図】図１
2007236832.tif 000002
【特許請求の範囲】
【請求項１】
浴槽蓋を一側部から巻き込み、引出し可能に収納する蓋収納箱であって、前記収納箱は箱本体と開閉可能な側蓋から構成され、前記箱本体の底部には浴槽蓋の出入口が設けられ、前記箱本体の両側部には前記浴槽蓋の一側部と結合される巻取り棒が回転可能に差し渡され、且つ前記箱本体の一方の側蓋は開閉可能で、前記箱本体の裏側の一側面には回転軸が設けられ、浴室の内壁に前記回転軸を支点として倒立可能に取り付けることができることを特徴とする浴室用浴槽蓋収納箱。
【請求項２】
請求項１記載の浴室用浴槽蓋収納箱に於いて、前記浴槽蓋は軟質な合成樹脂シートの二層構造からなり、前記巻取り棒と結合する取付け部と、内部にパイプ状物が並列且つ等間隔に配列され、前記パイプ状物を折り曲げ自在に軟質合成樹脂シートで被覆した浴槽蓋本体と、軟質な合成樹脂シートの二層構造からなる引手部が連続して形成されるとともに、前記取付け部の長さは、前記浴槽蓋本体が浴槽の開口部を密閉可能な長さの連結帯であることを特徴とする浴室用浴槽蓋収納箱。
【発明の詳細な説明】
【技術分野】
【０００１】
本発明は、浴室用浴槽蓋収納箱に関し、より詳しくは、浴槽蓋を蓋収納箱に収納した後、回転手段により片隅に倒立させ固定するため、狭い浴室内も広く利用でき、邪魔者扱いされることも無く、美観もあり、又、浴槽蓋を脱着可能にし、清掃も容易にできる浴室用浴槽蓋収納箱に関する。
【背景技術】
【０００２】
従来の浴槽蓋に関しては、シャツター式浴槽蓋は、硬質プラスチック製中空状部材にて連結することにより放熱を抑制し、しかも巻き込み可能で、収納が便利であるという利点を保持するものはあった（特許文献１参照）。
【０００３】
又、シャツター蓋本来の使い勝手の良さといった利点を有する他、不使用時には多段状にコンパクトに折りたたむことができ、安定した状態で浴槽上面や、浴室内適所に載置出来るものはあった（特許文献２参照）。
【０００４】
更に、浴槽の蓋の開閉が簡単にできて、また風呂蓋を持ち上げて移動する必要がない。また風呂蓋がコンパクトにまとまり浴槽の端の狭い場所に置ける等の効果を有するものはあった（特許文献３参照）。
【特許文献１】特開２００３−２９９５８６号公報
【特許文献２】特開２００４−９７５０２号公報
【特許文献３】特開２０００−７９０６８号公報
【発明の開示】
【発明が解決しようとする課題】
【０００５】
上記の特許文献１に記載の浴槽蓋は、浴室の狭い場所に於いて置く場所が特定されていない欠点を有し、特許文献２に記載の浴槽の蓋は、浴室の狭い場所に置く場所が選定されていない問題があり、邪魔者扱いされている難点があって、特許文献３に記載の巻取収納式風呂蓋は、浴槽の蓋を収納した後、その収納箱を浴槽の縁に放置した儘の問題点と、浴室端の狭い場所の中で邪魔にならない場所を選んで置くようなことで手間も要り、邪魔者扱いされ、狭い浴室をより以上に狭くする欠点があった。
本発明は、上記のような従来の問題点や欠点を改善して、蓋清掃も容易にでき、邪魔者扱いされることも無く、取り扱いも簡易な浴室用浴槽蓋収納箱を提供することを目的とするものである。
【課題を解決するための手段】
【０００６】
浴槽の蓋を一側部から巻き込み、引出し可能に収納する蓋収納箱であって、前記収納箱は箱本体と開閉可能な側蓋から構成され、前記本体の底部には浴槽蓋の出入口が設けられ、前記箱本体の両側部には前記浴槽蓋の一側部と結合される巻取り棒が回転可能に差し渡され、且つ前記箱本体の一方の側蓋は開閉可能で、前記箱本体の裏側の一側面には回転軸が設けられ、浴室の内壁に前記回転軸を支点として倒立可能に取付けると良い。
【０００７】
前記浴室用浴槽蓋収納箱に於いて、前記浴槽蓋は軟質な合成樹脂シートの二層構造からなり、前記巻取り棒と結合する取付け部と、内部にパイプ状物が並列且つ等間隔に配列され、前記パイプ状物を折り曲げ自在に軟質合成樹脂シートで被覆した浴槽蓋本体と、軟質な合成樹脂シートの二層からなる引手部が連続して形成されるとともに、前記取付け部の長さは前記浴槽蓋本体が浴槽の開口部を密閉可能な長さの連結帯にすると良い。
【発明の効果】
【０００８】
本発明の浴室用浴槽蓋収納箱本体には、浴槽蓋巻取り装置を設け浴槽蓋を収納可能にし、開閉可能な側蓋を設けることにより浴槽蓋が脱着可能になり、浴槽蓋収納箱は水平横向きで浴槽蓋を収納した後、浴槽蓋収納箱は回転手段によって倒立させ、垂直縦向きに固定保持されることにより、浴槽蓋は清掃ができ、滑りも不快感も解決され、又、浴室の狭い場所に於いて、浴槽より蓋を外した時、置く場所が無く散乱していた浴槽蓋が、整理整頓され邪魔者扱いされることも無く、浴室内も広く使用でき美観も有し、広くに渡り優れた効果を奏するものである。
【発明を実施するための最良の形態】
【０００９】
以下、本発明の実施形態を実施例となる図１〜９図に基づいて説明する。
【００１０】
図１は本発明の浴室内壁の浴槽蓋と蓋収納箱の実施例となる全体図を示している斜視図である。
蓋収納箱本体１は、浴室の内壁２７に水平横向きの状態より、台座７の回転軸８を支点に手動で回転倒立させ垂直縦向きに固定保持された状態を表している斜視図である。
蓋収納箱本体１は、底部３１が浴槽縁２８より１００ｍｍ上部に水平横向きに浴室内壁２７に一時保持させるため水平保持L型金具１２を設け、受け部３２上面に保護ゴム３０を貼った上に一時置かれ、台座７の回転軸８を支点に手動で回転倒立させ垂直縦向きに移動し、転倒防止金具１３と連結のキャリア２９によって固定保持すると良い。
【００１１】
尚、本実施例に示した浴槽蓋１４図８でも示したように巻取り部１５は、幅７２０ｍｍ、長さ２２０ｍｍ、厚み３ｍｍで、巻取り棒１８接続部より軟質二層の合成樹脂製で、蓋本体部１６は、複数の硬質合樹脂製のパイプ状物直径３ｍｍが並列に等間隔に配列された折り曲げ自在な合成樹脂シート厚み６ｍｍ（パイプ直系３ｍｍを含む）を設けた。蓋後部は引手部１７であり、軟質二層の合成樹脂製でなり、厚さ３ｍｍ、長さ８０ｍｍとし、全体として二層構造であって、浴槽蓋１４の全長は１０２０ｍｍで、巻き取りは、巻取りノブ１９によって巻き取る。尚、市販されている浴槽は、最大で幅１５３０ｍｍ、長さ２０３０ｍｍ、普通サイズ幅１５４５ｍｍ、長さ１７００ｍｍ、最小で幅５８０ｍｍ、長さ９３０ｍｍの範囲にあるので、浴槽蓋１４の寸法は、浴槽の開口寸法に合わせて作成すれば良い。
【００１２】
図２は本発明の実施例となる蓋収納箱の平面構造図である。
蓋収納箱１は、半丸形で本体裏部４、底部３１、左側板２、側蓋３と棒１８で構成されていて、左側板２と側蓋３の中心部には巻取り棒１８が嵌合回転する穴５が設けられ、本体裏部４には回転軸部品の台座７にある回転軸８で連結される穴３６が設けられ、台座取付けネジ２４を設け、浴室内壁２７に水平保持L型金具１２、蓋収納箱本体１の受け部３２、の上に保護ゴム３０が付設され、台座７の回転軸８を支点として蓋収納箱本体１を回転倒立させ、転倒防止金具１３を取付けネジ２６で設置、被覆キャリア２９で蓋収納箱を固定保持すると良く、蓋収納箱の底部３１には浴槽蓋を出し入れする出入口が設けられている構造図である。
例えば、図２に示した実施例では、蓋収納箱の長さ８２０ｍｍ、半丸形直系は１８０ｍｍ、で本体裏部４の上部左隅の両隅より２０ｍｍの中心の所に回転軸８が挿入される穴３６を設け、左側板２と側蓋３の中心部の穴５は直径１０ｍｍ厚み４ｍｍ、巻取り棒１８は直径１０ｍｍを用いて両側部の回転挿入部は直径９ｍｍ弱を用いると良く、長さ８４６ｍｍとし、２ｍｍ螺旋ネジを切り、手動の巻き込みフック１９も２ｍｍの螺旋ネジを切り嵌合させ止めネジ２１で固定すると良い。
【００１３】
図３は、本発明の実施例となる蓋収納箱の立体斜視図と脱着可能な側蓋の解析図である。
蓋収納箱本体１は半丸形で本体裏部４に回転軸８が入る穴３６を設け、左側板２は本体と一体化しており、巻取り棒１８が入り回転できる穴５を設け、更に水滴排出のための複数の小穴６を設け、側蓋３は巻取り棒１８が入り回転できる穴５を設け、巻取り棒１８を脱着できるようにするため蓋収納箱本体１と側蓋３を嵌合させる構造であり、側蓋締付けネジ２５を設け、蓋収納箱本体１の底部３１には浴槽蓋がスムーズに出し入れできるように蓋本体底部３１全長にアールの出入口３３を設けると良い。
【００１４】
図４―a、bは、本発明の実施例となる蓋収納箱の側蓋の正面図と側面図である。
図４は、側蓋３に対する側蓋締付けネジ２５の位置を示している。
側蓋３は、外形より内側３ｍｍの所部に厚さ３ｍｍで８ｍｍの凸部の嵌合部を設け、浴槽蓋収納箱本体１と嵌合させた時に側蓋締付けネジ２５を挿入する所部を設けるとよく固定する。              
【００１５】
図５―a、ｂ、d、e、f、g、ｈ、i  は本発明の実施例となる取付け部品の平面図と側面図であり、ｃは斜視図である。
図５−aは、取付け部品の台座７の平面図で回転軸８の表面にマイナスドライバー挿入凹部３４と台座取付けネジ２４の位置を示している。
図５−bは、取付け部品の台座７の側面図で回転軸８と台座取付けネジ２４の穴を示している。
図５−cは、取付け部品の台座７、回転軸８、蓋収納箱本体裏部４と回転補助リング９、ワッシャ１０、締付けナット１１を示した側面斜視図である。
図５−d、は、取付け部品の回転補助リング９の形状を示していて、図５−eは、側面図で回転補助リングの厚みを示している。
図５−f、ｇは、取り付け部品のワッシャ１０の厚みと形状を示し、図５−h、iは、取り付け部品の締め付けナット１１の形状と部品の厚みを示している。
【００１６】
図６―aは、本発明の実施例となる蓋収納箱１の転倒防止金具１３の平面図と図６−ｂは、側面図である。
転倒防止金具１３を上部と下部に二分し、直角に曲がるように中間点を中心に蝶番３５方式にすると良く、上部は浴槽蓋を保持する転倒防止金具１３被覆キャリア２９で、下部は浴室内壁に取付けネジ２６で固定する板とすると良い。
図６−bは、側面図で転倒防止金具１３の蝶番３５、下部の取付けネジ２６と上部は転倒防止金具１３被覆キャリア２９である。
【００１７】
図７―a、bは、本発明の実施例となる水平保持金具１２の平面図と側面図である。
浴室内壁には４本の取付けネジ２６で固定すると良い。
水平保持金具１２は受け部L型３２になっており、浴室内壁に着床させる取り付けネジ２６で受け部L型３２の上部にはクッション製のゴム３０を使用すると良い。
【００１８】
図９は浴槽蓋１４の巻取り棒１８と取付け部１５の接着する箇所の斜視図であり、巻取り棒１８と取付け部１５の端を合わせ、複数の固定ネジ２２で締付けると良く、巻き込みフック１９には凹部２０を設け、巻取り棒１８一側部フックの凸部３７を設け嵌合させ、止めネジ２１で固定すると良い。巻取り棒１８の両横端部には左側板２と側蓋３の回転穴と嵌合すべき巻取り棒の凸部２３を設けると良い。
【図面の簡単な説明】
【００１９】
【図１】浴室内壁の浴槽蓋収納箱と浴槽蓋の全体図と斜視図
【図２】浴槽蓋収納箱の平面構造図
【図３】浴槽蓋収納箱の立体斜視図と脱着可能な蓋右側板の解析図
【図４】浴槽蓋収納箱の蓋右側板の平面図と側面図
【図５】浴槽蓋収納箱の取付け部品の平面図と側面解析図
【図６】浴槽蓋収納箱の転倒防止金具の平面図と側面図
【図７】浴槽蓋収納箱の水平保持金具の平面図と側面図
【図８】浴槽蓋の形状を示す断面図
【図９】巻取り棒と蓋取付け部、巻取り棒とフックの斜視図
【符号の説明】
【００２０】
１    箱本体
２    左側板  
３    側蓋
４    本体裏部
５    左右側板の穴
６    小穴
７    台座
８    回転軸
９    回転補助リング
１０  ワッシャ
１１  締付けナット
１２  水平保持L型金具
１３  転倒防止金具
１４  浴槽蓋
１５  取付け部
１６  蓋本体
１７  引手部
１８  巻取り棒
１９  巻き込みフック
２０  巻き込みフックの凹部
２１  止めネジ
２２  固定ネジ
２３  巻取り棒の凸部
２４  台座取付けネジ
２５  側蓋締付けネジ
２６  取付けネジ
２７  浴室内壁
２８  浴槽の縁
２９  被覆キャリア
３０  保護ゴム
３１  底部
３２  受け部
３３  出入口
３４  マイナスドライバー挿入凹部
３５  蝶番
３６  蓋本体裏部の連結穴
３７  巻取り棒一側部フックの凸部
【図１】
2007236832.tif 000003
【図２】
2007236832.tif 000004
【図３】
2007236832.tif 000005
【図４】
2007236832.tif 000006
【図５】
2007236832.tif 000007
【図６】
2007236832.tif 000008
【図７】
2007236832.tif 000009
【図８】
2007236832.tif 000010
【図９】
2007236832.tif 000011